(57)【要約】  【課題】  より単純な構造で安価に生産でき、スコップを兼ね取り扱い容易に糞を収容できると共に、一定の強度を持ったペット用糞処理袋を提供することを目的とする。    【解決手段】  内面を防水処理した紙製の封筒形の袋体において、該袋体の開口部の下側部を他部より突出した舌片とし、その基部を外に折り曲げ、二重にして糞を掬うためのヘラ部分とし、前記舌片の先端部分の内面に両面テープを取り付け、前記開口部の内側の下側に逆流防止用ストッパーを切り出したことを特徴とするペット用糞処理袋を提供する。【選択図】        図１
0003140167.tif 000002
【実用新案登録請求の範囲】
【請求項１】
内面を防水処理した紙製の封筒形の袋体において、該袋体の開口部の下側部を他部より突出した舌片とし、該舌片の基部を外に折り曲げて下側部を二重にして糞を掬うためのヘラ部分とし、前記舌片の先端部分の内面に両面テープを取り付け、前記開口部の下側の内側に逆流防止用ストッパーを切り出したことを特徴とするペット用糞処理袋。
【請求項２】
請求項１記載の袋体の下側端部が逆台形となるように、袋体の開口部から袋体の底部まで２本の折り目線を平行につけたことを特徴とするペット用糞処理袋。
【考案の詳細な説明】
【技術分野】
【０００１】
本考案は、犬等のペットを散歩させる際に糞を収容して封止するためのペット用糞処理袋に関する。
【背景技術】
【０００２】
従来、犬等のペットを散歩させる際、ペットがした糞は、ビニール袋越しに手で直接掴み回収するか、スコップ等で掬い、ビニール袋等に収容して持ち帰っていた。また、厚紙等の帯体と、袋体からなるペット用糞処理袋等のプラスチックやビニール素材を用いた提案がされていた（特許文献１）。
【特許文献１】特開２００１−２６９０７６号公報
【考案の開示】
【考案が解決しようとする課題】
【０００３】
ペットがした糞をビニール袋越しに手で直接掴み回収すると糞を直接掴む時に近い感触を強いられるため不快であり、また、スコップで掬い、ビニール袋に収容して持ち帰る場合は、スコップに汚れが付くため、取り扱いが面倒であり、その後の手入れにも時間が掛かっていた。また、プラスチックやビニール素材を用いた提案は、糞の感触を強いられることはないが、毎日の散歩に用いるものであるため、より単純な構造で安価に処理できる物が望ましかった。
【課題を解決するための手段】
【０００４】
本考案は、紙袋の開口部の下側を突出した舌片とし、該舌片を二重折りして糞の掬い取りができるようなヘラ部分とし、糞を収容した後に、前記突出した舌片を封蓋として用いるようにして前記従来の問題点を解決したのである。
【０００５】
即ち、本考案は、内面を防水処理した紙製の封筒形の袋体において、該袋体の開口部の下側部を他部より突出した舌片とし、該舌片の基部を外に折り曲げて下側部を二重にして糞を掬うためのヘラ部分とし、前記舌片の先端部分の内面に両面テープを取り付け、前記開口部の下側の内側に逆流防止用ストッパーを切り出したことを特徴とするペット用糞処理袋である。
【０００６】
本考案の他のペット用糞処理袋は、袋体の下側端部が逆台形となるように、袋体の開口部から袋体の底部まで２本の折り目線を平行につけたことを特徴とするペット用糞処理袋である。
【考案の効果】
【０００７】
本考案の請求項１記載のペット用糞処理袋によれば、紙製袋の開口部に工夫を加えてヘラ用と被蓋とを兼用したペット用糞処理袋を提供できる。
【０００８】
即ち、本考案のペット用糞処理袋は、袋体の開口部の下側部を他部より突出した舌片とし、該端部の基部を外に折り曲げ、下側部を二重にして糞を掬うためのヘラ部分とすることで、比較的強度が弱い紙製であっても、糞を掬う際には十分な強度を得ることができた。また、糞を収容した後に、前記舌片を封蓋として用いることで、より単純な構造で安価に処理することができる。さらに、前記開口部の下側の内側に逆流防止用ストッパーを切り出したことで、糞を数回回収する場合でも前に回収した糞が逆流することがなくなった。
【０００９】
また、本考案の請求項２記載のペット用糞処理袋によれば、請求項１記載のペット用糞処理袋の下側端部が逆台形となるように、袋体の開口部から袋体の底部まで２本の折り目線を平行につけたことで、糞の回収時において、ヘラ部分が面で接地することとなり、より確実な糞の回収が可能となった。
【考案を実施するための最良の形態】
【００１０】
本考案を実施するための最良の形態は、内面を防水処理した紙製の封筒形の袋体において、該袋体の開口部の下側部を他部より突出した舌片とし、該舌片の基部を外に折り曲げ、下側部を二重に糞を掬うためのヘラ部分とし、前記舌片の先端部分の内面に両面テープを取り付け、前記開口部の下側の内側に逆流防止用ストッパーを切り出し、袋体の下側端部が逆台形となるように、袋体の開口部下側に、開口部から袋体の底部まで所定間隔で２本の折り目線を平行につけたことを特徴とするペット用糞処理袋である。
【実施例１】
【００１１】
本考案の実施例を図１乃至図４について説明すれば、まず、本ペット用糞処理袋は、内面を防水処理した紙製の封筒形の袋体１からなり、該袋体１の開口部の下側部を他部より突出した舌片２とし、該舌片２の基部を外に折り曲げて下側部を二重にし、糞を掬うためのヘラ部分６を形成した。ヘラ部分６が二重となったことで、糞を掬う際に十分な強度を得ることができた。また、前記舌片２は、図４図示の通り、糞を収容した後に、開口部を覆うように封蓋として用いることができるため、より単純な構造で安価に処理することができるものとなった。ここで、前記舌片２の先端部分に開口部を封緘するために必要な両面テープ３を取り付けた。また、前記開口部上側は、糞の収容をより容易に行うために、台形状に切り開いたが、どのような形状で切り開いてもよいし、切り開かなくても糞の収容は可能である（開口部を大きく開くことにより目的を達成する）。
【００１２】
次に、袋体１の開口部から袋体の底部まで２本の折り目線５、５を平行につけ、該折り目線５、５の間隔は糞を収容するために十分な幅があればどのような長さでもよい。前記折り目５、５をつけたことで、糞の収容時において、ヘラ部分６が面で接地することとなり、より確実な糞の収容が可能となった。
【００１３】
また、前記開口部の下側の内側に逆流防止用ストッパー４を切り出した。該ストッパー４は、糞の回収の際に図２（ｂ）中矢示８の通り引き起こして使用する。これにより、例えば、一旦糞７ａを収容した状態（図３（ａ）図示）から、さらに糞７ｂを収容するために袋体１を傾けた状態（同（ｂ）図示）であっても、糞７ａの逆流を防止することができた。ここで、前記ストッパー４は、幅を袋体１の幅の３分の１程度として、前記開口部側の辺を折り目として残して矩形状に型抜きしたが、糞を収容する時に邪魔にならなければ、どのような幅であってもよく、また、形状も矩形状に限らず、例えば台形状であってもよい。
【００１４】
前記両面テープ３には、剥離紙３ａがあるので、使用時に剥離紙３ａを剥がし、袋体１へ接着して、確実に封緘する。
【００１５】
前記袋体１は、すべて紙製とすることで、一つの素材で安価に生産することができ、使用後も素材ごとに分別する必要がなくなった。また、図２（ａ）図示の状態にすることで、軽量かつコンパクトで持ち運びも容易なものとなった。
【図面の簡単な説明】
【００１６】
【図１】本考案の実施例の組み立て前の一部を破切した斜視図。
【図２】（ａ）同じく舌片を下側へ折り畳んだ時の斜視図、（ｂ）同じく糞を収容する為の使用時の斜視図。
【図３】（ａ）同じく糞を入れた状態の説明図、（ｂ）同じくさらに糞を掬う時の説明図。
【図４】同じく使用後に開口部を封じた斜視図。
【符号の説明】
【００１７】
１  袋体
２  舌片
３  両面テープ
３ａ  剥離紙
４  ストッパー
５  折り目線
６  ヘラ部分
７ａ、７ｂ  糞
８  矢印
【図１】
0003140167.tif 000003
【図２】
0003140167.tif 000004
【図３】
0003140167.tif 000005
【図４】
0003140167.tif 000006